(57)【特許請求の範囲】
【請求項１】
被試験装置の試験を実行する試験装置は試験制御部と信号発生部と電源部と接続部を備え、
前記試験制御部は記憶部と表示部を有し、
前記試験制御部は被試験装置の装置名が選択されると、前記記憶部に記憶されている前記被試験装置のバージョン情報と試験対象項目を読み出して前記表示部に表示し、前記被試験装置からバージョン情報を取得して試験対象項目の更新の要否を判定し、試験対象項目の更新が不要の場合には試験を実行することを特徴とする試験装置。
【請求項２】
請求項１の試験装置において、
前記試験制御部は、試験対象項目の更新が必要な場合には前記表示部に試験対象項目の更新要を表示して試験を実行しないことを特徴とする試験装置。
【請求項３】
請求項１または請求項２に記載の試験装置において、
前記試験制御部は、前記表示部に試験手順を表示し、試験対象項目の更新要の場合には試験手順を前記表示部から消去することを特徴とする試験装置。
【発明の詳細な説明】
【技術分野】
【０００１】
本発明は、試験装置に関するものである。
【背景技術】
【０００２】
試験装置は、各被試験器に対して試験実施可能で、それぞれに対応する試験プログラムが用意されている。
操作者が、試験装置に被試験器の器材番号を登録する。その後、試験装置において、試験対象器材及び登録されている器材番号の内から選択し、試験を実施する。試験実施後は、試験対象器材及び器材番号をキー値とし、結果を保存する。
【０００３】
先行技術文献としては、例えば、特許文献１に統合制御器の被試験機を試験した結果の被試験データと統合制御器の標準機を試験した結果の標準データと比較して被試験機の正常・異常を判定する統合制御器の試験方法の発明が開示されている。
【先行技術文献】
【特許文献】
【０００４】
【特許文献１】特開平７−５６６２１号公報
【発明の概要】
【発明が解決しようとする課題】
【０００５】
従来の試験装置においては、試験プログラムが用意されている試験対象器材であり、かつ登録されている器材番号であれば、試験実施可能であった。しかし、ファームウェアアップデート等の被試験器改修、もしくは試験プログラムの修正等の試験装置改修が発生することがある。この時、そのような改修中であるような状態にあることを、操作者が把握しておらず試験実施してしまう可能性がある。その際、試験結果の良否に関わらず、試験実施可能ではあっても、試験結果に信頼性があるとは言えない。
このような場合においては、結果として、不必要な作業を実施してしまう可能性があるという問題があった。
本発明の目的は、改修等の状態により、正常な結果を取得できない試験を実施する可能性を除去し、作業量の低減及び不必要な時間の短縮を図るものである。
【課題を解決するための手段】
【０００６】
本発明の試験装置は、被試験装置の試験を実行する試験装置が試験制御部と信号発生部と電源部と接続部を備え、試験制御部は記憶部と表示部を有し、試験制御部は被試験装置の装置名が選択されると、記憶部に記憶されている被試験装置のバージョン情報と試験項目を読み出して表示部に表示し、被試験装置からバージョン情報を取得して試験対象項目の更新の要否を判定し、試験対象項目の更新が不要の場合には試験を実行することを特徴とする。
【０００７】
また、本発明の試験装置は、上述の試験装置であって、試験制御部は試験対象項目の更新が必要な場合には表示部に試験対象項目の更新要を表示して試験を実行しないことを特徴とする。
【０００８】
さらに、本発明の試験装置は、上述の試験装置であって、試験制御部は表示部に試験手順を表示し、試験対象項目の更新要の場合には試験手順を前記表示部から消去することを特徴とする。
【発明の効果】
【０００９】
本発明によれば、改修等の状態により、正常な結果を取得できない試験を実施する可能性を除去し、作業量の低減及び不必要な時間の短縮を図ることができる。
【図面の簡単な説明】
【００１０】
【図１】本発明の一実施例に係る試験装置の操作画面を説明するための図である。
【図２】本発明の一実施例に係る試験装置の動作を説明するためのフローチャートである。
【図３】本発明の一実施例に係る試験装置の試験実施可否を管理するためのテーブル図である。
【図４】本発明の一実施例に係る試験装置のシステム構成を示す概念図である。
【発明を実施するための形態】
【００１１】
以下、本発明の実施形態について図面を参照して詳細に説明する。
図４は本発明の一実施例に係る試験装置のシステム構成を示す概念図である。
試験装置４００は、試験制御部４０１、信号発生部４０２、電源部４０３、接続部４０４で構成されている。
試験制御部４０１は、被試験装置４０５を含む試験装置４００全体を制御するものであり、記憶部と表示部を有する。なお、試験制御部４０１はＰＣ（Personal  Computer）等であってもよい。
信号発生部４０２は、被試験装置４０５に試験に必要な信号を出力する。
電源部４０３は、被試験装置４０５に試験に必要な電源を供給する。
接続部４０４は、被試験装置４０５と試験装置４００を接続するためのインタフェースである。
【００１２】
図３は本発明の一実施例に係る試験装置の試験実施可否を管理するためのテーブル図である。
試験装置４００は、被試験装置に対する器材番号とバージョン情報からなるテーブルを試験制御部４０１の記憶部に記憶しており、これにより被試験装置４０５の試験実施可否を管理する。器材番号に○印が付いて場合は試験実施可能であり、器材番号に×印が付いて場合は試験実施不可である。
図３のテーブルは、例えば、被試験装置がＡ無線機の場合、器材番号１，２，４，５が試験実施可能である。Ａ無線機のバージョンはＶ１．０である。
【００１３】
図１は本発明の一実施例に係る試験装置の操作画面を説明するための図である。
図１の操作画面１００は試験制御部４０１の表示部に表示され、図示していないポインティングデバイスやタッチ機能等により操作することができる。
操作画面１００は、上部に複数の操作ボタン、中央部に試験内容表示エリア１３０、右部に設定・実行エリア１４０等を有している。
【００１４】
操作画面１００の上部は、構成品ボタン１０１、電源試験ボタン１０２、結果参照ボタン１０３、環境設定ボタン１０４、終了ボタン１０５、電源切ボタン１１１等の操作ボタンを有している。
さらに、操作画面１００の上部には、機体の入力ボックス１１２、所属の入力ボックス１１３、機体番号の入力ボックス１１４、作業者名の入力ボックス１１５等の入力ボックスを有している。例えば、機体の入力ボックス１１２には“Ｚ−１”、所属の入力ボックス１１３には“Ｚチーム”、機体番号の入力ボックス１１４には“００１”、作業者名の入力ボックス１１５には“作業者Ａ”等と入力する。
【００１５】
設定・実行エリア１４０は、装置名選択欄１４１、バージョン表示１４２、ＷＲＡ選択欄１４３、器材番号表示欄１４４、開始ボタン１４５、診断開始ボタン１４６等を有している。
装置名選択欄１４１は、試験制御部４０１の記憶部に記憶されている装置名がプルダウン表示され、その中から、例えば、“Ｄ無線機”を選択することができる。
装置名選択欄１４１が選択されると、試験制御部４０１の記憶部に記憶されているバージョンが、バージョン表示１４２に、例えば、“Ｖ１．０”と表示される。
ＷＲＡ選択欄１４３は、試験制御部４０１の記憶部に記憶されている試験対象器材がプルダウン表示され、その中から、例えば、“送受信機ＸＹＺ−２１０”、“ＤＥＦ−２５１”、“総合（調整、無線局検査）”等を選択することができる。
【００１６】
器材番号表示欄１４４は、装置名選択欄１４１とＷＲＡ選択欄１４３で選択した内容から試験する器材番号を表示する。なお、試験実施不可の器材番号はグレー等で塗り潰し表示をしている。
【００１７】
試験内容表示エリア１３０は、設定・実行エリア１４０で選択した内容に基づいて、試験の手順（試験項目一覧）、結線図１３１、接続図１３２等を表示する。
なお、試験内容表示エリア１３０は、取り外し手順について表示してもよい。
【００１８】
図２は本発明の一実施例に係る試験装置の動作を説明するためのフローチャートである。
試験制御部４０１は、試験が開始され、図１の装置名選択欄１４１で被試験装置の装置名が選択されると、記憶部に記憶している被試験装置のバージョン情報をバージョン表示１４２に表示し（Ｓ２０２）、試験内容表示エリア１３０に設定・実行エリア１４０で選択した内容に基づいて、試験の手順（試験項目一覧）、結線図１３１、接続図１３２等を表示して、Ｓ２０３の処理に進む。
Ｓ２０３の処理では、被試験装置４０５からバージョン情報を取得し、Ｓ２０４の処理に進む。
【００１９】
試験制御部４０１は、記憶部に記憶している被試験装置のバージョン情報と被試験装置４０５から取得したバージョン情報を比較して、試験制御部４０１に記憶しているバージョンの更新要否を判定し（Ｓ２０４）、バージョンの更新が必要な場合（ＹＥＳ）にはＳ２０５の処理に進み、バージョンの更新が不要の場合（ＮＯ）にはＳ２０６の処理に進む。
【００２０】
Ｓ２０５の処理では、試験内容表示エリア１３０に表示している試験手順を消去し、バージョンの更新要を表示して、処理を終了する。
【００２１】
試験制御部４０１は、器材番号を取得し（Ｓ２０６）、Ｓ２０７の処理に進む。
【００２２】
試験制御部４０１は、選択された試験対象器材から記憶している図３の試験実施可否管理テーブルを参照して、試験実施可否情報を取得し（Ｓ２０７）、Ｓ２０８の処理に進む。
Ｓ２０８の処理では、対象器材番号が試験実施可能か否かを判定し、試験実施可能な場合（ＹＥＳ）にはＳ２０９の処理に進み、試験実施不可能な場合（ＮＯ）にはＳ２１０の処理に進む。
【００２３】
Ｓ２０９の処理では、図１の器材番号表示欄１４４に器材番号を表示して、Ｓ２１１の処理に進む。
Ｓ２１０の処理では、器材番号を器材番号表示欄１４４にグレーで塗り潰し表示して、Ｓ２１１の処理に進む。
【００２４】
Ｓ２１１の処理では、器材番号の全てがチェック済みか否かを判定し、全ての器材番号のチェックが済みの場合（ＹＥＳ）には処理を終了しみ、全ての器材番号のチェックが未の場合（ＮＯ）にはＳ２０６の処理に戻る。
【００２５】
上記をまとめると、例えば、試験制御部４０１は、図１の装置名選択欄１４１にＮｏ．４の“Ｄ無線機”の装置名が選択されると、選択された装置名のバージョン情報を記憶部から読み出して、バージョンをバージョン表示１４２に表示する。
次に、試験制御部４０１は、被試験装置４０５からバージョン情報を取得して、記憶部から読み出したバージョン情報を比較し、試験装置４００のバージョン情報の更新要否を判定し、バージョン情報の更新が要の場合には試験内容表示エリア１３０に表示している試験手順を消去し、“バージョンの更新要”を表示して、処理を終了する。バージョン情報の更新が不要の場合には試験実施可能の器材番号１，５を記憶部から読み出し取得して器材番号表示欄１４４に表示する。なお、試験実施不可の器材番号２，３，４は器材番号表示欄１４４にグレーで塗り潰し表示する。
そして、試験制御部４０１は、試験実施可能の器材番号の試験を開始する。
【００２６】
試験者である作業者Ａは、選択した被試験装置に関して、図３のテーブルに記憶されている器材番号のうち、試験実施可能なものを識別することが可能となり、その試験実施可能な器材番号一覧の中から、試験実施する器材番号を選択し、試験実施することができる。
【００２７】
本発明の実施形態である試験装置は、改修等の状態により、正常な結果を取得できない試験を実施する可能性を除去し、作業量の低減及び不必要な時間の短縮を図ることができる。
【００２８】
以上本発明について詳細に説明したが、本発明は、ここに記載された試験装置に限定されるものではなく、上記以外の試験装置に広く適用することができることは言うまでもない。
【産業上の利用可能性】
【００２９】
被試験装置に対して試験を行う試験装置に適用できる。
【符号の説明】
【００３０】
４００：試験装置、４０１：試験制御部、４０２：信号発生部、４０３：電源部、４０４：接続部、４０５：被試験装置。
【図１】
0006587454.tif 000002
【図２】
0006587454.tif 000003
【図３】
0006587454.tif 000004
【図４】
0006587454.tif 000005